(57)【要約】【課題】  緑化基盤材と緑化植物との活着が手数少なく確実に容易にでき、建造物の外壁面のような垂直面に取り付けられても緑化植物が落下する危険性が少なく、風雨に曝されても緑化植物が容易には基盤材から離れて飛散することがなく、室内外の緑化装飾にも清潔感を維持した状態で使用できる緑化基盤材の提供。【解決手段】  黒曜石を主成分とした無機質素材を肥料無添加状態で加圧成形し、それを焼成して多気泡保有体とした板状部材と、該板状部材の片面に苗素材を直接散布して活着させたセダム類とによって構成したもの。【選択図】        図１
2009201476.tif 000002
【特許請求の範囲】
【請求項１】
黒曜石を主成分とした無機質素材を肥料無添加状態で加圧成形し、それを焼成して多気泡保有体とした板状部材と、該板状部材の片面に苗素材を直接散布して活着させたセダム類とからなる緑化基盤材。
【請求項２】
板状部材が、建造物の外壁面に取り付けられる壁面緑化用の板材である請求項１に記載の緑化基盤材。
【請求項３】
板状部材が、適宜の外形に形成された室内装飾用の板材である請求項１に記載の緑化基盤材。
【発明の詳細な説明】
【技術分野】
【０００１】
本発明は、住宅、工場等の建築物や河川、道路等の土木構造物をはじめ、種々の垂直面や急斜面の緑化に適した緑化基盤材や、外形を適宜の形状に形成した室内の緑化装飾に使用される緑化基盤材に関する。
【背景技術】
【０００２】
近年、地球温暖化対策の見地から緑化推進が盛んになってきている。しかしながら、まだまだ緑地面積は足りていない。特に、都市空間ではヒートアイランド現象への対策の見地から、ビル等の屋上緑化が進められており、最近では、屋上緑化だけではなくビルやフェンスの垂直な壁面、あるいは急斜面の緑化が検討されている。
更に壁面緑化は、単にヒートアイランド対策だけでなく、安らぎのある景観を与える修景効果も奏することから、ますます注目されている。
【０００３】
ところで、壁面緑化については、これまでツタやアイビーに総称される蔓性植物を壁面に這わせるという緑化方法が主流であったが、最近では様々な新しい緑化資材が提案されている。例えば、所定の基板上に天然土壌や人工土壌を敷き詰めた植栽マットを形成し、マット表面にセダム類や芝を植栽したものを壁面に固定することがなされている。
このように、土壌を用いた緑化資材は植物を生育させる上で好ましく、現に屋上等の平面緑化では一般的であるが、建造物の外壁面のように垂直な壁面緑化において土壌を使用する場合には、土壌の落下対策や降雨や散水等による流出対策が必要となっていた。
【０００４】
そこで、土壌を使用せず壁面構成物自体に直接植栽できる緑化資材が提案されている。例えば、コンクリートにシリカ系鉱物（珪藻土、パーライト）を骨材又は添加材として添加配合し、更に保水性を補う手段として竹材、やし材、木材等の粉砕繊維質材やピートモスその他の植物性繊維質材を混合して使用する緑化コンクリート材が提案されている（特許文献１参照）。
【０００５】
他方、粗粒骨材の表面を多孔質結晶化ガラスで被覆するとともに、多孔質結晶化ガラスによって部分的に結合されたセラミックス板状の植生基盤材に、セダム類を植栽することも提案されている（特許文献２参照）。
【特許文献１】特開２００２−３４５３３２号公報
【特許文献２】特開２００２−３３５７４７号公報
【発明の開示】
【発明が解決しようとする課題】
【０００６】
前者の特許文献１に記載の緑化コンクリート材は、アルカリ性のセメントを含んでいるため植物の生育には必ずしも適しているとは言えず、酸性材料を混合してＰＨ値が７に近い中性材料とする必要がある。また、この特許文献１に記載の緑化コンクリート材は、保水性維持のため植物性繊維質材を混合使用するものであるから、繊維の腐蝕による体積減少という経時劣化を起し、その結果強度の低下を招来するおそれがあり、建造物の壁面等への取り付け使用に際しては落下の危険性を払拭できないものである。
【０００７】
後者の特許文献２に記載の植生基盤材、すなわち粗粒骨材の表面を多孔質結晶化ガラスで被覆したセラミックス板状の植生基盤材は、主成分となる珪酸塩がアルカリ金属であるため、やはり前者同様ＰＨ値を調整するため酸性素材を混合使用する必要がある。また、粗粒骨材の表面を被覆する多孔質結晶化ガラスの通孔が１０〜１００μというものであるから、この多孔質結晶化ガラスの通孔に、植物自体の姿勢を維持する程度に内奥部まで根を入り込ませることは、セダム類のような矮小植物の毛細根であっても難しく、結局、表面を結晶化ガラスで被覆された粗粒骨材間に形成される間隙に植物の根を入り込ませて着生させなければならず、この粗粒骨材間の間隙に植物の根を張りめぐらせるためには長い時日を要し、また植栽された植物と基盤材との強い結合は望みにくく、建造物の垂直面に取り付けられ、直接風雨に曝されるような建造物の外壁面に設置される壁面緑化材としては、必ずしも適切なものとは言えないものである。
【０００８】
そこで、本発明はこれらの従来技術が有する課題を解決することを目的として開発されたものであって、緑化基盤材と緑化植物との活着が手数少なく確実に容易にでき、建造物の外壁面のような垂直面に取り付けられても緑化植物が落下する危険性が少なく、風雨に曝されても緑化植物が容易には基盤材から離れて飛散することもほとんどなく、晴天期間が長く続いて、降雨が少ないといった気候や天候に左右される度合いが少なく、外観上の緑化状態を長期間にわたって維持できる可能性の高い緑化基盤材をここに提供しようとするものである。
【課題を解決するための手段】
【０００９】
該目的を達成するために講じた本発明にいう緑化基盤材の請求項１に記載の構成は、黒曜石を主成分とした無機質素材を肥料無添加状態で加圧成形し、それを焼成して多気泡保有体とした板状部材と、該板状部材の片面に苗素材を直接散布して活着させたセダム類とからなる構成としたものである。
【００１０】
また、請求項２に記載の構成は、請求項１に記載の緑化基盤材にいうところの板状部材が、建造物の外壁面に取り付けられる壁面緑化用の板材である構成としたものである。
【００１１】
更に、請求項３に記載の構成は、請求項１に記載の緑化基盤材にいうところの板状部材が、適宜の外形に形成された室内装飾用の板材である構成としたものである。
【発明の効果】
【００１２】
以上の説明から既に明らかなように、本発明の請求項１に記載の緑化基盤材は、黒曜石を主成分とした無機質素材を焼成して発泡し、肥料無添加状態で加圧成形した板状部材の片面に、草丈が小さくて大きく伸長することなく、地上を這う地衣植物のように平面的に密生させやすく、かつ、耐乾性に優れたセダム類の苗素材を直接散布して活着させたものであるから、緑化植物の生育に当たっては、セダム類の苗素材を板状部材の上に直接散布するという行為だけで、セダム類の活着力と増殖力とを有効に利用して活着させることができ、活着された苗の毛細根は、生育土壌等の異物を介することなく、焼成発泡時に形成された板状部材の無数の空孔に直接入り込むことができるので、セダムと板状部材との結合を短期間に強力なものとすることができ、建造物の外壁面のような垂直面に取り付けても落下する危険性が少なく、強い風雨に曝されても基盤材から離れて飛散することが少ない緑化基盤材を得ることができるという顕著な効果を期待することができるに至ったのである。
【００１３】
また、本発明は、多肉植物で葉に水分を貯える性質をもち、乾燥に耐える性質に富んだセダム類のみを緑化対象植物として限定したので、気候や天候に左右される度合いが少なく、晴天期間が長期にわたり降雨が少ない場合でも容易に枯死することはなく、外観上の緑化状態を長期間にわたって維持させておくことができ、枯れて緑化作用や美観を喪失するといった事態を招来することの少ない緑化基盤材を得ることができるという効果をも期待することができる。
【００１４】
更に、板状部材は、無機質素材を肥料無添加状態で加圧成形したものとしてあるので、緑化植物であるセダム類の生長を抑制することができ、生長したセダムが板状部材から大きく伸びて風雨の抵抗に耐えられず、板状部材から根と共に又は草丈の途中から千切れて飛散すること、またそのことにより緑化面の外観を損ねることを最小限に抑えることができる利点をも同時に有しているものである。
【００１５】
本発明の請求項２に記載の緑化基盤材は、板状部材を建造物の外壁面に取り付けて使用する壁面緑化用の板材としたものであるから、建造物の外壁面を緑で覆い、歩行者に憩いを与えると同時に、緑化基盤材が建造物の外壁の保護と外気温からの影響を受けにくくする遮蔽壁の役目を果たす効果を有する。
【００１６】
また、本発明の請求項３に記載の緑化基盤材は、板状部材を適宜の外形に形成された室内装飾用の板材として使用するようにしたものであるから、壁掛けや深皿上に載置することによって、従来には存在しなかった新しい感覚の室内緑化材として癒しの空間を創出する効果を有する。
【発明を実施するための最良の形態】
【００１７】
本発明にいうところのセダム類は、多肉植物で、葉に水分を貯えているため乾燥に強く、降雨に恵まれない時期でも長期間にわたって緑色を維持させておくことができ、肥料がなくても生育が可能で、草丈が小さくて大きく生長することがなく、地上を這うように横に伸びて密生しやすい点で面状緑化が得やすいという特性を有し、高温・多湿に耐え、極寒期を除けば年中生長を続け、緑色を維持する特徴を有している。また、この「セダム」とは、ベンケイソウ科に属する多年草の総称であり、ベンケイソウ、オオベンケイソウ、マンネングサ、メノマンネングサ、キリンソウ、イワレンゲ等が自生種として古くから一般に知られており、近年ではコーラルカーペット、サカサマンネングサ等が建造物の屋上緑化に適した植物として知られている。
【００１８】
また、本発明の実施に当たって、緑化基盤材としての板状部材の表面に天然土壌や人工土壌等の植物生育用の土壌を介在させず、セダム類を直接活着させるのは、土壌を使用した場合、土壌中に根が密生して板状部材中に侵入する根が少なくなり、またその根も深く入り込まないため、マット状になった緑化植物と土壌とが板状部材から剥離して地上に落下するという危険性を有するためである。この危険性を回避するためには常時メンテナンスを行う必要があり、全ての緑化基盤材に対してメンテナンスを確実に行うことは大きな困難性を伴うこととなる。この困難性と危険性とを回避するため、板状部材の表面にセダム類を直接活着させるのである。
【実施例】
【００１９】
以下本発明の実施例について図面に基づいて説明する。図中、図１及び図２は、本発明の第１実施例を示す図であって、図１は右半部に緑化基盤材の外観形状を、左半部にセダムの植栽状態の外観形状を示す概略斜視図であり、図２はその側面形状を示す概略図である。
【００２０】
本発明にいうところの緑化基盤材１は、黒曜石を主成分としてこれに粘土を１０〜２０重量％混入した素材に水を加えてミキサーで撹拌混合した材料を、肥料を添加することなく型枠に注入して、例えば３００ｔなり５００ｔなりの適宜の圧力をかけて凝固させ、これを天日下に置き送風して自然乾燥させるか、温風炉又は加熱乾燥炉に入れて水分を除去し、続いて焼成炉に入れて１０００℃〜１２００℃で焼結させて板状部材２を得る。
【００２１】
この板状部材２は、加圧成形時の圧力を変えることによって、焼結成形された板状部材２に残る無数の空洞４の大きさを調整することができる。
【００２２】
このようにして形成した板状部材２の片面（上面）に、苗素材すなわちセダム３の先端部分を摘み取ったものを苗素材として直接散布する。この苗素材の散布前に板状部材２を水中に浸漬するか、その表面に散水し、またあるいは苗素材の散布後に散水して数日間放置しておくと、苗素材は発根し、板状部材２の上面に活着させることができる。
【００２３】
板状部材２の表面のほぼ前面に苗素材を活着させた緑化基盤材１を、図外の建造物の外壁面にボルトやアンカー部材を利用し、盤面を垂直状態として取り付け固定する。
【００２４】
この建造物の外壁面への取付固定については、例えば人目に付きやすくて癒し感を与えやすい建造物の１階から３階までとしたり、大通りに面した側の一面のみとしたり、大通りに面した側の面とそれに連なる両側面としたり、南側面や西側面のみとしたり、あるいは北側面のみにしたり等々、適宜に取り付けて使用することができる。
【００２５】
この取付作業後は、通常ならば自然に任せて放置しておくだけでもよいが、長期間降雨に恵まれないような場合には、セダム３が生気を失い変色又は死滅しそうになる前に、散水して水分補給を施してやるのが好ましい。メンテナンスとしては、この散水等で充分である。
【００２６】
この建造物の外壁面への取付用緑化基盤材１は、適宜の大きさに形成したものであれば、その平面の大きさや厚さについては特定されるものではないが、建築資材における壁面ボードの通常の大きさ、例えば、平面形状を６００×９００ｍｍなり６００×１２００ｍｍなり６００×１５００ｍｍなりの長方形状に形成したものとしておくと取り扱いに便利であり、窓や出入口を除けば取り付けるのに便利である。また、厚みは、必要に応じて任意に形成すればよいものであるが、壁面への取付用基盤材１の場合は、例えば板状部材２の厚みを１０ｍｍ〜１５ｍｍとした場合には壊れやすいので、２０ｍｍ〜３０ｍｍ程度の厚みとするのが取り扱い上好ましい。また、４０ｍｍ以上の厚みのものとしてもよいが、その場合は重量が増加し、取扱作業者に大きな負担がかかるので好ましいとは言えない。
【００２７】
図３は、室内装飾用の緑化基盤材１の一例を示したもので、該図３に示したものは壁掛け用の緑化基盤材１を示したものである。この緑化基盤材１の板状部材２は、その外形を壁面吊り下げ紐５を取り付けた枠体６の形状に合わせて形成したもので、ハート形枠体に合わせて形成した板状部材２の表面に緑化植物、ここではセダム３を植え付けたものを示してある。このような室内装飾用の緑化基盤材１における板状部材２の場合には、その厚みを１０ｍｍ〜１５ｍｍのものとしても使用することが可能である。
【００２８】
本発明にいうところの板状部材２は、無機質素材を焼成発泡させたものであるから、家庭用の鋸でも切断することができ、ハート形のみならず、三角形や星形、動物の外形等適宜任意の形状に形成できるものである。また、室内装飾のみにとどまらず、室外のエクステリアとしても使用できることは言うまでもない。
【００２９】
本願発明にいうところの緑化植物としては、セダム類の他に芝、殊に高麗芝やタマリュウなどでも同様な効果が得られるが、板状部材２の表面に苗を散布するだけで活着する点では、やはりセダム類が好ましい。
【００３０】
以上本発明の代表的と思われる実施例について説明したが、本発明は必ずしもこれらの実施例に示した構造のもののみに限定されるものではなく、本発明にいう前記の構成要件を備え、かつ、本発明にいう目的を達成し、前記の効果を有する範囲内において適宜改変して実施することができるものである。
【産業上の利用可能性】
【００３１】
本発明いうところの緑化基盤材は、主たる使用目的として住宅、工場等の建築物や河川、道路等の土木構造物をはじめ、種々の垂直壁面や急斜面の緑化に適した緑化基盤材として使用することができるものであり、二次的な使用目的としては、外形を適宜の形状に形成することができるものであり、天然土壌、いわゆる土を使用しないため、清潔な室内の緑化装飾のみならず室外のエクステリアとしても使用することができるので、製品を市場に提供すると世上に受け入れられ重宝に使用される可能性が大なるものである。
【図面の簡単な説明】
【００３２】
【図１】第１実施例の緑化基盤材を示す概略斜視図。
【図２】図１における概略側面図。
【図３】第２実施例の緑化基盤材を示す正面図。
【符号の説明】
【００３３】
１  緑化基盤材  
２  板状部材
３  セダム
４  空間
５  吊り下げ紐
６  枠体
【図１】
2009201476.tif 000003
【図２】
2009201476.tif 000004
【図３】
2009201476.tif 000005